(57)【特許請求の範囲】
【請求項１】
収納部を有する容器本体と、該容器本体の後端部に回動自在に連結され、回動されて該容器本体を開閉する蓋体と、該蓋体の前端部に設けられ、該容器本体の前端部に設けられた係合部に係脱自在に係合して該蓋体の閉じ状態を保持するフックと、上記収納部の底面に、該容器本体の前端部から後端部に亘ってかつ起伏可能に設けられ、その上に上下方向に重ね合わされた複数のフィルム材が載置されるとともに、押圧操作されることで起こされてこれらフィルム材を押し上げ、かつ該蓋体を押し上げてフックを係合部から離脱させる押し上げ部材と、該蓋体に、該フィルム材に面して設けられ、該フィルム材が付着される付着部と、該容器本体の後端部に該押し上げ部材に面して弾性変形可能に設けられ、弾性変形されて該押し上げ部材を押圧する押圧部とを備えたことを特徴とするフィルム用容器。
【請求項２】
前記フィルム材と前記蓋体の間には、前記複数のフィルム材を上方から押さえる押さえ部材を備えることを特徴とする請求項１に記載のフィルム用容器。
【請求項３】
前記押さえ部材は、前記容器本体に一体的に形成されることを特徴とする請求項２に記載のフィルム用容器。
【発明の詳細な説明】
【技術分野】
【０００１】
本発明は、容器本体の開蓋操作とともにフィルム材を操作性良好に取り出すことが可能なフィルム用容器に関する。
【背景技術】
【０００２】
紙石鹸（フィルムソープ）や脂取り紙などのフィルム材を取り出すことを可能にしたものとして、例えば特許文献１の「紙石鹸パッケージ」が知られている。この紙石鹸パッケージは、複数枚の紙石鹸を重ねて保持する中央保持部、中央保持部の互いに対向する端部にそれぞれ連設されかつ中央保持部の上にそれぞれ折り返して重ねるようになっている内側折曲片および外側折曲片から成り、内側折曲片の遊端側の内面に摩擦部材を設け、中央保持部の内側折曲片寄りの端部に紙石鹸の端部を固定して構成されている。使用時には、外側折曲片を開いた後、内側折曲片を紙石鹸上で滑らせる操作を行うようにし、これにより摩擦部材で１枚の紙石鹸を、重なり合う紙石鹸から引き離して、使用することができるようになっている。
【特許文献１】実開平３−６４４６号公報
【発明の開示】
【発明が解決しようとする課題】
【０００３】
背景技術にあっては、フィルム材である紙石鹸を取り出す操作として、外側折曲片を開く操作および内側折曲片を滑らせる操作の２回の操作が必要であるという課題があった。
【０００４】
本発明は上記従来の課題に鑑みて創案されたものであって、容器本体の開蓋操作とともにフィルム材を操作性良好に取り出すことが可能なフィルム用容器を提供することを目的とする。
【課題を解決するための手段】
【０００５】
本発明にかかるフィルム用容器は、収納部を有する容器本体と、該容器本体の後端部に回動自在に連結され、回動されて該容器本体を開閉する蓋体と、該蓋体の前端部に設けられ、該容器本体の前端部に設けられた係合部に係脱自在に係合して該蓋体の閉じ状態を保持するフックと、上記収納部の底面に、該容器本体の前端部から後端部に亘ってかつ起伏可能に設けられ、その上に上下方向に重ね合わされた複数のフィルム材が載置されるとともに、押圧操作されることで起こされてこれらフィルム材を押し上げ、かつ該蓋体を押し上げてフックを係合部から離脱させる押し上げ部材と、該蓋体に、該フィルム材に面して設けられ、該フィルム材が付着される付着部と、該容器本体の後端部に該押し上げ部材に面して弾性変形可能に設けられ、弾性変形されて該押し上げ部材を押圧する押圧部とを備えたことを特徴とする。
【０００６】
前記フィルム材と前記蓋体の間には、前記複数のフィルム材を上方から押さえる押さえ部材を備えることを特徴とする。
【０００７】
前記押さえ部材は、前記容器本体に一体的に形成されることを特徴とする。
【発明の効果】
【０００８】
本発明にかかるフィルム用容器にあっては、容器本体の開蓋操作とともにフィルム材を操作性良好に取り出すことができる。
【発明を実施するための最良の形態】
【０００９】
以下に、本発明にかかるフィルム用容器１の好適な一実施形態を、添付図面を参照して詳細に説明する。本実施形態にかかるフィルム用容器１は基本的には、図１〜図５に示すように、収納部２を有する容器本体３と、容器本体３の後端部３ａに回動自在に連結され、回動されて容器本体３を開閉する蓋体４と、蓋体４の前端部４ａに設けられ、容器本体３の前端部３ｂに設けられた係合部５に係脱自在に係合して蓋体４の閉じ状態を保持するフック６と、収納部２の底面２ａに、容器本体３の前端部３ｂから後端部３ａに亘ってかつ起伏可能に設けられ、その上に上下方向に重ね合わされた複数のフィルム材７が載置されるとともに、押圧操作されることで起こされてこれらフィルム材７を押し上げ、かつ蓋体４を押し上げてフック６を係合部５から離脱させる押し上げ部材８と、蓋体４に、フィルム材７に面して設けられ、フィルム材７が付着される付着部９と、容器本体３の後端部３ａに押し上げ部材８に面して弾性変形可能に設けられ、弾性変形されて押し上げ部材８を押圧する押圧部１０とを備えて構成される。
【００１０】
容器本体３は合成樹脂材製で形成される。容器本体３は、底壁１１ａと、その周縁から立ち上げて形成された環状の周側壁１１ｂから構成され、その内部には、積層状態で積み上げられたフィルムソープや脂取り紙などのフィルム材７を収納する収納部２が形成される。収納部２の前端には、その下側を前方に向かって凹設させた凹部１２が形成される。図示例にあっては、容器本体３は平面外形輪郭が矩形状に形成され、収納部２の平面形状は矩形状に形成されているが、容器本体３の平面外形輪郭は矩形状に限らず、多角形状や円形状であってもよい。従って、収納部２の平面形状も、多角形状や円形状であってもよい。
【００１１】
蓋体４は、合成樹脂材製で、外周縁に環状の縁部１３が垂下形成された平板状に形成される。この蓋体４と容器本体３とは、折り曲げ可能なヒンジ部１４を介して互いに一体的に結合される。具体的には、ヒンジ部１４は、容器本体３の後端部３ａと蓋体４の後端部４ｂとに、左右一対で、互いに適宜間隔を隔てて一体的に結合される。このヒンジ部１４により、蓋体４は容器本体３を開閉すべく、当該容器本体３に回動自在に連結される。図示例にあっては、蓋体４は平面矩形状に形成されているが、容器本体３の様々な平面外形輪郭に合わせて多角形状や円形状に形成してもよい。
【００１２】
また蓋体４の前端部４ａには、後方へ突出形成されたフック６が設けられる。容器本体３の前端部３ｂには、上方に向かって爪片５ａが形成され、爪片５ａには前方に突出させた係合部５が設けられる。フック６は、係合部５に係脱自在に係合されて蓋体４の閉じ状態が保持される。
【００１３】
収納部２の底面２ａには、容器本体３の前端部３ｂから後端部３ａに亘って、起伏可能な押し上げ部材８が設けられる。押し上げ部材８は、合成樹脂材製で、一枚の平板状に形成される。押し上げ部材８はその長さ方向に、収納部２後方に位置するスライド部８ａと、収納部２前方に位置する起伏部８ｂを備え、スライド部８ａと起伏部８ｂの間には、左右方向に上方から断面Ｖ字状に切り込んで、起伏部８ｂを起立させる習性を与える第１切り込み部１５ａが形成される。起伏部８ｂには、前後方向ほぼ中央に位置して、左右方向に下方から断面Ｖ字状に切り込んで、これを頂点として上向き凸になる習性を与える第２切り込み部１５ｂが形成される。また、スライド部８ａの後端には、押圧操作によって前方に押圧される被押圧部１６が形成され、起伏部８ｂの前端には、収納部２の凹部１２に挿入されて、容器本体３の前端部３ｂに当接して係止される係止部１７が形成される。
【００１４】
押し上げ部材８は、起伏部８ｂの第２切り込み部１５ｂがやや浮き上がった状態で収納部２の底面２ａに敷設される。押し上げ部材８の上面には、複数のフィルム材７が上下方向に重ね合わされて載置される。図示例では、押し上げ部材８の巾方向の寸法は図示されていないが、容器本体３の左端から右端に亘って形成しても良いし、この寸法よりも短く形成しても良い。
【００１５】
被押圧部１６が押圧されると、係止部１７が凹部１２に係止された状態で、スライド部８ａが前方にスライド移動し、第１切り込み部１５ａが谷折りされて、やや浮き上がった状態の第２切り込み部１５ｂがこれを頂点に山折りされて、起伏部８ｂが山状に起立される。そして、この起伏部８ｂがフィルム材７を上方に押し上げ、かつ蓋体４を押し上げてフック６を係合部５から離脱させる。
【００１６】
蓋体４には、第２切り込み部１５ｂの上方に位置して、収納部２に収納されたフィルム材７に向かって突出させた付着部９が設けられる。付着部９の下端には、フィルム材７に面して粘着層１８が形成される。粘着層１８は付着部９に一般的な粘着剤を塗布したり、両面テープなどの周知の粘着剤フィルムを貼り付けるなどして構成される。
【００１７】
容器本体３の後端部３ａには、押し上げ部材８に面して弾性変形可能な押圧部１０が設けられる。容器本体３の後端部３ａと底壁１１ａ間には、左右方向ほぼ全域に亘って第１スリット部１９ａが形成される。また、一対のヒンジ部１４に挟まれた容器本体３の後端部３ａと蓋体４の後端部４ｂ間の隙間によって、第２スリット部１９ｂが形成される。押圧部１０は、第１スリット部１９ａおよび第２スリット部１９ｂにより、容器本体３の後端部３ａに、容器本体３の前方に向かって弾性変形可能に形成される。押圧操作によって押圧部１０を弾性変形させれば、被押圧部１６が押圧されて、スライド部８ａがスライド移動し、起伏部８ｂが山状に起立される。
【００１８】
容器本体３の周側壁１１ｂ上には、複数のフィルム材７を上方から押さえる押さえ部材３０が設けられる。押さえ部材３０は、合成樹脂材製で形成される。押さえ部材３０は収納部２の前後方向ほぼ中央から後方側を覆う大きさの平板状であって、収納部２の後方側を覆うように周側壁１１ｂに一体的に形成される。押さえ部材３０には、その前端に、押上げ部材８によって押し上げられたフィルム材７を上方から押さえる押さえ部３１が形成される。これよって、付着部９に付着した最上位置のフィルム材７は、これを取り出す際に、他のフィルム材７からスムーズに剥離される。
【００１９】
本実施形態にかかるフィルム用容器１の作用について説明すると、使用前の蓋体４を閉じた状態では、収納部２に敷設された押し上げ部材８の上面にフィルム材７が載置されている。また、押し上げ部材８は、被押圧部１６が押圧部１０と当接し、係止部１７が凹部１２に挿入され、係止されている。この状態で、図４に示すように押圧部１０を手指などで押圧操作すると、被押圧部１６を介してスライド部８ａが前方にスライドし、起伏部８ｂを山状に起立させてフィルム材７を上方に押し上げる。押し上げられた最上位置のフィルム材７は、付着部９に付着する。この際に、押さえ部材３０の押さえ部３１がフィルム材７を上方から押さえ、付着した最上位置のフィルム材７に対して、他のフィルム材７を剥離する。またこれと同時に、起きあがった起伏部８ｂがフィルム材７を介して蓋体４の付着部９に当接しつつこれを押し上げ、この力によって係合部５とフック６の係合が解除される。その後、蓋体４をヒンジ部１４周りに回動させて容器本体３を開放すると、蓋体４に追随して付着部９がヒンジ部１４周りに上方へ向かって持ち上がる。これによって付着部９に付着した最上位置のフィルム材７が引き上げられ、スムーズに一枚のフィルム材７を取り出すことができる。
【００２０】
フィルム材７の取り出しの際は、例えば、図１及び図４に示すように親指を容器本体３の前端部３ｂに添えながら、人差し指などで押圧部１０を押圧する。この操作によって、蓋体４の係合の解除操作と、最上位置のフィルム材７の蓋体４への付着操作を片手で簡単にかつ同時に行うことができ、その後は、開蓋によって一枚のフィルム材７を簡単に引き上げることができ、フィルム材７を操作性良好に取り出すことができるとともに、複数枚のフィルム材７がいっぺんに剥がし取られるなどの不具合も防止することができる。
【００２１】
押圧部１０から手指を離すと、押圧部１０が弾性復帰し、押し上げ部材８にかかる押圧力が解除される。これによって、山状に起立した起伏部８ｂは、ほぼ扁平な状態に伏せ、これとともにフィルム材７も元の位置に戻る。起伏部８ｂがほぼ扁平な状態に伏せることによって、スライド部８ａが元の位置までスライド移動し、被押圧部１６が押圧部１０に当接されて、押圧前の状態に復原する。
【００２２】
フィルム材７を補充するにあたっては、伏せた状態の起伏部８ｂと押さえ部３１の間には、隙間Ｓが形成されるので、この隙間Ｓからフィルム材７を簡単に挿入することができる。
【００２３】
本実施形態では、押圧部１０の周囲に第１スリット部１９ａ及び第２スリット部１９ｂを形成することによって、押圧部１０をスムーズに弾性変形させることが可能となる。このように、スリット部１９ａ、１９ｂを形成することで、容器本体３の後端部３ａによって押圧部１０を形成できるので、押圧部に新たな別の部品を使う必要がなく、フィルム用容器１の軽量化を実現でき、これとともに、製造コストの削減にもなる。
【００２４】
押圧部１０を弾性変形可能に形成するためには、本実施形態のように、第１スリット部１９ａ、第２スリット部１９ｂを形成しなくてもよい。例えば、容器本体３をポリプロピレンなどの柔軟性のある材質で形成すれば、押圧部１０の弾性作用を確保することができる。この場合であっても、押圧部として新たな別の部品を使う必要がないので、上記同様、フィルム用容器１の軽量化を実現でき、これとともに、製造コストの削減になる。
【００２５】
本実施形態では、押し上げ部材８の第１切り込み部１５ａは上方からＶ字状に切り込んで形成されているが、これは下方からの切り込みであってもよく、この際には、Ｖ字状の切り込みでなくてもよい。また、第２切り込み部１５ｂは、下方から切り込んで形成されているが、上方からでもよく、この際にも切り込みはＶ字状でなくてもよい。さらに、押し上げ部材８は、切り込み部１５ａ、１５ｂを設けない弾性変形可能な１枚の板状体でもよい。例えば、弾性的に湾曲可能である押し上げ部材８を、上向き凸になる習性をもたせるべく、上向きにやや湾曲させた状態に配設するのが好ましい。
【００２６】
本実施形態では、付着部９は、蓋体４の前方に形成されているが、付着部９の位置は起伏部８ｂの起伏位置に合わせて形成すればよく、その前後位置は問わない。また、付着部９は蓋体４に突出形成されているが、突出させずに蓋体４に部分的に粘着層１８を形成してもよい。さらに、付着部９の大きさは、蓋体４に部分的に形成しても、全幅にわたって形成してもよい。
【００２７】
本実施形態では、押さえ部材３０は周側壁１１ｂ上に固定されているが、収納部２を開閉自在に開放できるように形成してもよい。例えば、押さえ部材３０は、周側壁１１ｂの左側、右側、後側のいずれかに、回動可能なヒンジ片を介して形成することができる。このような形態にすれば、収納部２全体を開放することができ、フィルム材７の補充をさらに簡単化でき、操作性がよい。このような形態にした場合には、ヒンジ片を形成していない側の周側壁１１ｂに、押さえ部材３０に係脱自在な係合突起を設け、フィルム材７の補充後には、押さえ部材３０を下方に押し込むことによって係合突起に係合させて、閉じ状態を保持できるようにすればよい。
【図面の簡単な説明】
【００２８】
【図１】本発明にかかるフィルム用容器の好適な一実施形態を示す、蓋体を開いた状態の斜視図である。
【図２】図１のフィルム用容器の底面を示す斜視図である。
【図３】図１のフィルム用容器の容器本体を閉じた状態の側断面図である。
【図４】図１のフィルム用容器の押圧部を押圧操作してフィルム材を付着部に付着させた状態を示す側断面図である。
【図５】図１のフィルム用容器の容器本体を開いていく過程を示す側断面図である。
【符号の説明】
【００２９】
１    フィルム用容器
２    収納部
３    容器本体
３ａ  後端部
３ｂ  前端部
４    蓋体
４ａ  前端部
５    係合部
６    フック
７    フィルム材
８    押し上げ部材
９    付着部
１０  押圧部
【図１】
0004949150.tif 000002
【図２】
0004949150.tif 000003
【図３】
0004949150.tif 000004
【図４】
0004949150.tif 000005
【図５】
0004949150.tif 000006